(57)【要約】【課題】使い勝手と見栄えに優れるとともに必要換気量を確実に得ることができる開口部の構造を提供する。【解決手段】水平回転軸廻りを回動して傾斜することにより開口部を開閉し、かつ傾斜して開いた際にその上端部が、外壁の屋内表面よりも屋内側へ突出する縦開きタイプの建具を設けた開口部の構造であって、開口部の両側縁部から屋内側へのびる袖板部を設け、かつこの袖板部の間に形成されるとともに開口部の屋内側に膨出する回避スペースを有し、前記回避スペースの屋内側の表面には、小虫類の通過を阻止しうる大きさの小孔が多数形成された通気性の網状体が下向きに傾斜して張設されることを特徴とする。【選択図】図１
2008255652.tif 000002
【特許請求の範囲】
【請求項１】
水平回転軸廻りを回動して傾斜することにより開口部を開閉し、かつ傾斜して開いた際にその上端部が、外壁の屋内表面よりも屋内側へ突出する縦開きタイプの建具を設けた開口部の構造であって、
開口部の両側縁部から屋内側へのびる袖板部を設け、かつこの袖板部の間に形成されるとともに開口部の屋内側に膨出する回避スペースを有し、
前記回避スペースの屋内側の表面には、小虫類の通過を阻止しうる大きさの小孔が多数形成された通気性の網状体が下向きに傾斜して張設されることを特徴とする開口部の構造。
【請求項２】
前記袖板部は、下方から上方に向けて幅寸法が拡がるとともに後縁側が外壁の屋内表面に沿って形成された略直角三角形状をなし、
回避スペースの上部は天井面によって塞がれることを特徴とする請求項１記載の開口部の構造。
【請求項３】
前記左右の袖板部の上端部間に開口部の開口巾方向にのびる筒状の収納部が設けられ、
前記網状体は、前記収納部に巻き取り収納可能に設けられることを特徴とする請求項１又は２記載の開口部の構造。
【請求項４】
前記網状体の下端に、係止部を有する水平棒状の縁部材を一体に設け、
開口部下部に設けた係止受部に前記係止部を係合することによって、収納部から引き出した網状体を回避スペースの屋内側端部に張設することを特徴とする請求項３記載の開口部の構造。
【請求項５】
前記建具は、開口部の内外間の気圧差で水平回転軸周りを回動して、上端部を内側にした傾斜角度で傾いて開口部を開き、
前記網状体は、前記建具の最大傾斜角度と略同角度に傾斜して張設されることを特徴とする請求項１〜４のいずれかに記載の開口部の構造。
【発明の詳細な説明】
【技術分野】
【０００１】
本発明は、外壁の屋内表面よりも屋内側へ突出して縦開きする建具を有するとともに小虫類の侵入を阻止しうる網状体を設けた開口部の構造に関する。
【背景技術】
【０００２】
開口部に引き違い式の建具を設けた場合は、同様に引き違い式の網戸を設けて小虫類の侵入を防止している。しかし開口部の端縁部から離れた内側位置に配された回転軸廻りを回動して開閉する建具を設けた開口部においては、建具の回転動作と網戸が干渉することから、取り付けが困難である。
【０００３】
そこで、図５に示すように、平行に向き合う開口枠ａに巻き込み収納可能なロール式の網状体ｂを各々取り付け、前記網状体ｂの引き出し先端縁に設けたマグネットｄを利用し、開いた建具ｅの両面に各々網状体ｂの縁部を取り付け、これにより小虫類の侵入を防止できる網状体ｂを開口部ａに張設する網戸付き回転窓が提案されている
（例えば、特許文献１参照）。
【０００４】
【特許文献１】特開平１１−２２９７３５号公報
【発明の開示】
【発明が解決しようとする課題】
【０００５】
しかしながら開閉の都度、網状体ｂを引き出してマグネットｄによって固定する操作は、大変に手間がかかり、頻繁に開閉する開口部に対しては到底採用できない。
【０００６】
そこで、屋内側に開口部から連続する横角筒状の通気筒を設けるとともに、回動して開く建具と干渉しない屋内側の位置に網状体を設ける換気構造を設けることも考えられる。しかしながら開口部の屋内側に通気筒が突出することから、屋内空間を狭くして見栄えを損ねるとともに使い勝手が悪く、更には通気筒を通る際の通気抵抗が加わるため必要換気量が得られない恐れがある。
【０００７】
本発明は、開口部の両側縁部から屋内側へのびる袖板部を設けて形成した回避スペースの屋内側表面に、小虫類の通過を阻止しうる大きさの小孔が多数形成された通気性の網状体を下向きに傾斜して張設することを基本とし、使い勝手と見栄えに優れるとともに必要換気量を確実に得ることができる開口部の構造の提供を課題としている。
【課題を解決するための手段】
【０００８】
前記目的を達成するために、請求項１に係る発明では、水平回転軸廻りを回動して傾斜することにより開口部を開閉し、かつ傾斜して開いた際にその上端部が、外壁の屋内表面よりも屋内側へ突出する縦開きタイプの建具を設けた開口部の構造であって、開口部の両側縁部から屋内側へのびる袖板部を設け、かつこの袖板部の間に形成されるとともに開口部の屋内側に膨出する回避スペースを有し、前記回避スペースの屋内側の表面には、小虫類の通過を阻止しうる大きさの小孔が多数形成された通気性の網状体が下向きに傾斜して張設されることを特徴とする。
【０００９】
請求項２に係る発明において、前記袖板部は、下方から上方に向けて幅寸法が拡がるとともに後縁側が外壁の屋内表面に沿って形成された略直角三角形状をなし、回避スペースの上部は天井面によって塞がれ、請求項３に係る発明では、前記左右の袖板部の上端部間に開口部の開口巾方向にのびる筒状の収納部が設けられ、前記網状体は、前記収納部に巻き取り収納可能に設けられることを特徴とする。
【００１０】
請求項４に係る発明では、前記網状体の下端に、係止部を有する水平棒状の縁部材を一体に設け、開口部下部に設けた係止受部に前記係止部を係合することによって、収納部から引き出した網状体を回避スペースの屋内側端部に張設し、請求項５に係る発明において、記建具は、開口部の内外間の気圧差で水平回転軸周りを回動して、上端部を内側にした傾斜角度で傾いて開口部を開き、前記網状体は、前記建具の最大傾斜角度と略同角度に傾斜して張設されることを特徴とする。
【発明の効果】
【００１１】
請求項１に係る発明においては、上端部が、外壁の屋内表面よりも屋内側へ突出する縦開きタイプの建具を設けた開口部の屋内側に、通気性の網状体を下向きに傾斜して張設しているため、換気する空気が滑らからに流れる通気経路が形成されることから通気抵抗を極めて小さく設定できる。従ってたとえ小さな圧力差であっても、必要通風量を確実に得ることができるため、ファンなどの機械換気手段を設置する必要がなく、省エネに貢献できるとともに、機械振動などの騒音発生がなく、夜間の寝室においても静寂性を確保できる。更には網状体が傾斜して形成されるため、壁面に設けられた開口部面積に比べて網状体の面積が大きく設定される。従って開口部に沿って張設される場合に比べて、網状体を通過する換気空気の通気抵抗が減少することから、換気量を増加させることができる。更には、網状体が下向きに傾斜して張設されることから屋内空間に大きく突出することがなく、使い勝手に優れるとともに見栄えを損ねることがないとともに、高窓等高所の開口部に向けて斜め方向に流れる空気の通気抵抗が小さくなるため、換気量を増加させることができる。
【００１２】
請求項２に係る発明のように、後縁側が外壁の屋内表面に沿う略直角三角形状の袖板部を設けるとともに、上部を天井面によって塞がれた回避スペースを設けると、回避スペースは屋内側で下方に傾斜して開口する。そのため、高窓状の開口部を介して出入りする換気空気が、屋内空間との間を滑らかに通気する回避スペースが形成されるため、僅かな圧力差によって必要換気量を確保することができる。
【００１３】
請求項３に係る発明のように、網状体を巻き取り収納可能な筒状の収納部を左右の袖板部上端部間に設けると、例えば小虫類の出入りの恐れがない時期において、網状体を収納して回避スペースの屋内側を開放できるため、一層大きな換気量が得られる。
【００１４】
請求項４に係る発明のように、開口部下部に設けた係止受部に係合しうる係止部を網状体の下端に一体に設けると、網状体を収納物から引き出して回避スペースの屋内側端部に張設でき、不要な期間は、前記係合を解除して前記収納部に納める簡単な操作で回避スペースを開放できる。
【００１５】
請求項５に係る発明のように、網状体を、建具の最大傾斜角度と略同角度に傾斜して張設すると、網状体が建具と干渉することがないとともに、網状体が必要以上に手前に出っ張ることがないため、使い勝手に優れるとともに圧迫感を与えたり見栄えを損ねることがない。
【発明を実施するための最良の形態】
【００１６】
以下、本発明の実施の一形態を、図示例とともに説明する。図１に示すように、開口部の構造１は、外壁４に形成される窓など開口部３を開閉可能とする建具５と、前記開口部の屋内側に膨出して構成された回避スペース７と、この回避スペース７の屋内側の表面に張設される網状体８とを具える。
【００１７】
前記開口部３は、本形態では、腰高の窓２１の上部に設けられた高窓３Ａの場合が例示される。しかし開口部３はこれに限るもではなく、洗面所、トイレ、クローゼットなどに設けられる小窓、エントランスホール、階段室などの吹き抜け空間において壁面高所に設けられる採光窓なども含まれる。なお開口部３の下枠２５には図２に示すように、開口部３の内向きに突出した戸当２６を設けている。更には下枠２５の屋内側に、鍵状の係止受部１３を設けている。
【００１８】
これらの開口部３を開閉するために設けられる前記建具５は、本形態では矩形フレームに透明ガラスを嵌め込んだガラス戸の場合が例示される。そして上下の中間位置、本形態では真中よりも上位の高さで、開口部３を横切り、その内側に形成される水平回転軸２廻りに枢支され、この軸廻りで回動することによって傾斜可能に取り付けられる。即ち図２に示すように、水平回転軸２に支持される垂直姿勢の建具５が、開口部３を閉塞する。一方図１に示すように、水平回転軸２廻りに回動することにより、上端部を外壁４の屋内表面よりも屋内側へ突出させて傾斜し、開口部３を開放する縦開きタイプの建具５が形成される。
【００１９】
なお前記建具５の上端部を屋内側へ突出させる傾斜は、水平回転軸２を構成する軸受具２Ａに、係合段部など廻り止め手段（図示せず）を設けることによって、最大の傾斜角度αが一定に維持される。この最大の傾斜角度αは、例えば、１０〜５０度程度、好ましくは２０〜３０度、本形態では２５度としている。なお前記廻り止め手段は、建具５の回転を阻止する戸当りを開口部３の側枠に突設して形成することもできる。
【００２０】
この建具５は、本形態では、開口部３を挟む屋内、屋外間の気圧差により、上端部を屋内側に向けて前記水平回転軸２廻りを回動して開口部３を開放する、自動開閉方式の建具５が例示される。この建具５は図１、２に示すように、矩形フレームの上枠２２の内側面に、水平支持棒２３を介して屋内側に突出した位置に錘２４が取り付けられる。同時に前記の如く、建具５の上下方向の中央よりも上の高さに設けられる水平回転軸２が、厚さ方向中心線ＣＬよりも屋内側に偏位して形成される。その結果、建具５がその自重によって水平回転軸２廻りに、その下端を屋内側へ向けて回転するモーメントＭ１が、前記錘２４の作用によって水平回転軸２廻りに、その下端を屋外側へ向けて回転するモーメントＭ２よりも僅かに大きくなるよう構成される。
【００２１】
その結果前記モーメントＭ１、Ｍ２の差により、建具５の下端部を屋内側に回転させる小さな力は、前記開口部３の下枠２５の戸当２６によって受け止められることから、屋外間に気圧差が無く、前記モーメントＭ１、Ｍ２のみが作用する時、及び屋外側の圧力が高くなる場合には、建具５は開口部３内で垂直な姿勢に支持されて、開口部３を閉塞する。
【００２２】
逆に屋外に比べて屋内側の圧力が高くなる場合、この内外圧力差及び水平回転軸２を挟んだ上下領域の面積差に基いて、水平回転軸２よりも下位の領域を屋外側に向けて押圧する力が働くことから、図１に示すように建具５は、上端部を屋内側に向けて傾斜し、前記廻り止め手段の働きによって設定された最大の傾斜角度αの傾斜状態を維持する。このような自動開閉方式の建具５を採用すると、屋内外の気圧差の変動によって、必要換気量を確保できるとともに、開口部の開閉が不要となることから操作性に優れる。特に給気側には送風機を設けるとともに排気を自然に行なわせる所謂第二種換気システムにおいて、排気側の開口部に好適に採用することができる。
【００２３】
前記回避スペース７は、開口部３屋内側に形成され、向き合う一対の袖板部６に挟まれた空間として形成される。前記各々の袖板部６は図１に示すように、開口部３の両側部から屋内側へのびる垂直な板状をなし、本形態ではガラス、プラスチックなどの透明板を用いている。本形態の袖板部６は、下方から上方に向けて幅寸法が広がる直角三角形状のものが使用され、その後縁部は開口部３の側部に沿う位置で、外壁４の屋内表面に対して、断面コ字状の溝型取付部材などを用いて隙間なく固着される。また前記袖板部６の斜辺は、本形態においては、前記建具５の最大の傾斜角度αと同じ傾きに形成される。
【００２４】
又本形態では、前記袖板部６の上縁部が天井面９に対して隙間なく固着され、従って本形態の回避スペース７の上部は、天井面９よって塞がれる。このように、後縁側が外壁４の屋内表面に沿う略直角三角形状の袖板部６を設け、上部を天井面９によって塞がれた回避スペース７を設けると、この回避スペース７は屋内側で下方に傾斜して開口する。従って、高窓状の開口部３を介して出入りする換気空気が、滑らかに屋内空間との間を通気する回避スペース７が形成されるため、僅かな圧力差によって必要換気量を確保することができる。なお回避スペース７の上部を、天井面９の下方に設ける上板によって覆うこともできる。更に本形態では、前記左右の袖板部６、６の上端部の間に、開口部３の開口巾方向にのびる筒状の収納部１０を設けている。
【００２５】
前記袖板部６の間で形成された回避スペース７の屋内側の表面には、通気性の網状体８が張設される。この網状体８は、プラスチック材料、金属線材などを網目状に織成したネット体、金属板、プラスチック板に小虫類の通過を阻止しうる大きさの小孔を多数穿設したパンチィング板体などを使用する。網状体８は、前記直角三角形状の袖板部６の下向きに傾斜する斜辺間に張設され、回避スペース７の屋内側で下向きに傾斜して設けられる。
【００２６】
このように、縦開きタイプの建具５を装着した開口部３の屋内側に、通気性の網状体８を下向きに傾斜して張設することによって、換気空気が滑らかに流れる通気経路を形成できるため、通気抵抗が低減する。その結果小さな圧力差であっても、必要通風量を確実に得ることができる。しかもファンなどの機械換気手段を設置する必要がなく、省エネに貢献でき、そのため機械振動などの騒音発生がなく、夜間の寝室においても静寂性を確保できる。
【００２７】
更には網状体８が下向きに傾斜して形成されるため、外壁面に設けられた開口部３の面積に比べ、網状体８の面積を広く確保できる。従って開口部３に沿って張設される通常の網戸に比べ、網状体８を通過する換気空気の通気抵抗が減少することから、換気量が増加する。また網状体８は下向きに傾斜して張設されるために屋内空間に大きく突出することがなく、使い勝手に優れるとともに見栄えを損ねることもない。
【００２８】
前記の如く本形態では、袖板部６の斜辺が前記建具５の最大の傾斜角度αと同じ傾きに形成される。そのため袖板部６の斜辺間に張設される網状体８も同様に、建具５の最大の傾斜角度αと同角度に傾斜する。従って網状体８が回動する建具５に干渉することがなく、また網状体８も必要以上に手前に出っ張ることがないため、使い勝手に優れるとともに圧迫感を与えたり見栄えを損ねることがないとともに、高窓等高所の開口部に向けて斜め方向に流れる空気の通気抵抗が小さくなるため、換気量を増加させることができる。
【００２９】
本形態の網状体８は図２、３に示すように、前記収納部１０に設けられた巻き取り手段２８によって、収納部１０内部に巻き取り収納可能に設けられる。前記巻き取り手段２８は、捩りコイルスプリングのバネ力を利用するもので、網状体８の下降操作時に捩りコイルスプリングに蓄勢し、巻き上げ操作時に前記蓄勢力を利用する公知の機構を用いている。このように左右の袖板部６上端部間に設けた筒状の収納部１０に網状体を巻き取り収納可能に構成すると、例えば小虫類の出入りの恐れがない時期においては、網状体８を収納部１０に収納して回避スペース７の屋内側を開放できるため、一層大きな換気量が得られる点で好ましい。
【００３０】
さらに本形態の網状体８は、その下端部に鍵状の係止部１１を設けた水平棒状の縁部材１２を一体に取り付けている。この縁部材１２の係止部１１を、例えば図３に示すような先端にフック２９を設けた操作棒３０を用いて引っ張ることにより、前記収納部１０内の網状体８を引き出す操作を簡単に行なうことができる。更に図２に示すように、前記の如く開口部３の下枠２５に設けた係止受部１３に対して、網状体８の係止部１１を係合すると、収納部１０から引き出した網状体８を回避スペース７の屋内側の端部に張設することができる。このように、網状体８下端に、係止受部１３と係合しうる係止部１１を一体に設けると、網状体８を収納部１０から引き出して回避スペース７の屋内側端部に簡単に張設できる。しかも不要な期間は、前記係合を解除して前記収納部１０に納める簡単な操作で回避スペース７を開放できる点で好ましい。
【００３１】
また図４に示すように、網状体８の上部にシート３１を一体に設け、このシート３１及び網状体８を連続的に収納部１０に巻き取り収納可能に構成すると、前記操作棒３０を使って網状体８を手の届く高さに引き降ろした状態で、掃除機などを用いて網状体８に付着した埃を吸い取ったり、破損を修理するなどのメンテナンス作業を簡単に行なえる点で好ましい。
【００３２】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３３】
【図１】本発明の一実施の形態を例示する斜視図である。
【図２】その断面図である。
【図３】その要部拡大図である。
【図４】異なる使用状態を説明する略図である。
【図５】従来例の断面図である。
【符号の説明】
【００３４】
１      開口部の構造
２      水平回転軸
３      開口部
４      外壁
５      建具
６      袖板部
７      回避スペース
８      網状体
９      天井面
１０      収納部
１１      係止部
１２      縁部材
１３      係止受部
【図１】
2008255652.tif 000003
【図２】
2008255652.tif 000004
【図３】
2008255652.tif 000005
【図４】
2008255652.tif 000006
【図５】
2008255652.tif 000007